(57)【要約】【課題】土留め壁側から支持ビット１６と調整パイプ２４内を伝わる漏水を阻止する。【解決手段】一端にタップねじ部１８を設け他端に連結ねじ部２２を設けた支持ビット１６の、上記タップねじ部１８は土留め壁材１２にねじ込まれて固定され、上記連結ねじ部２２は上記土留め壁材１２を覆う防水シート２８を貫通し、かつ、この貫通孔の周囲に密着した止水リング２６を貫通するものである。コンクリート型枠３４を支持するための調整パイプ２４は、上記止水リング２６を貫通して上記支持ビット１６の連結ねじ部２２に接続される。調整パイプの内部には、そのねじ孔を塞ぐようにプレス塊４６が設けられている。これにより、連結ねじ部２２のねじ溝を伝わって浸入する水圧に対しても確実に漏水を防止できる。【選択図】図９
2015175191.tif 000002
【特許請求の範囲】
【請求項１】
一端にタップねじ部を設け他端に連結ねじ部を設けた支持ビットの、上記タップねじ部は土留め壁材にねじ込まれて固定され、上記連結ねじ部は上記土留め壁材を覆う防水シートを貫通し、かつ、この貫通孔の周囲に密着した止水リングを貫通するものであって、
上記支持ビットの連結ねじ部端に接続される調整パイプは、
中間部に両側面をプレスして上記調整パイプのねじ孔を塞ぐように固定したプレス塊を配置しており、一端は上記止水リングを貫通して上記支持ビットのねじ部端に接続され、他端には、コンクリート型枠を支持するための部材が接続されることを特徴とするコンクリート型枠の防水支持部材。
【請求項２】
一端にタップねじ部を設け他端に連結ねじ部を設けた支持ビットの、上記タップねじ部は土留め壁材にねじ込まれて固定され、上記連結ねじ部は上記土留め壁材を覆う防水シートを貫通し、かつ、この貫通孔の周囲に密着した止水リングを貫通するものであって、
上記支持ビットの連結ねじ部端に接続される調整パイプは、
両端から切削加工をして残された仕切壁を備え、一端は上記止水リングを貫通して上記支持ビットのねじ部端に接続され、他端には、コンクリート型枠を支持するための部材が接続されることを特徴とするコンクリート型枠の防水支持部材。
【請求項３】
一端にタップねじ部を設け他端に連結ねじ部を設けた支持ビットの、上記タップねじ部は土留め壁材にねじ込まれて固定され、上記連結ねじ部は上記土留め壁材を覆う防水シートを貫通し、かつ、この貫通孔の周囲に密着した止水リングを貫通するものであって、
上記支持ビットの連結ねじ部端に接続される調整パイプは、
中間部に部分圧縮により固定した仕切塊を配置しており、一端は上記止水リングを貫通して上記支持ビットのねじ部端に接続され、他端には、コンクリート型枠を支持するための部材が接続されることを特徴とするコンクリート型枠の防水支持部材。
【請求項４】
一端にタップねじ部を設け他端に連結ねじ部を設けた支持ビットの、上記タップねじ部は土留め壁材にねじ込まれて固定され、上記連結ねじ部は上記土留め壁材を覆う防水シートを貫通し、かつ、この貫通孔の周囲に密着した止水リングを貫通するものであって、
上記支持ビットの連結ねじ部端に接続される止水ネジは、
袋ナット部とねじ部とを有し、上記袋ナット部は上記止水リングを貫通して上記支持ビットのねじ部端に接続され、上記ねじ部には、コンクリート型枠を支持するための調整パイプが接続されることを特徴とするコンクリート型枠の防水支持部材。
【請求項５】
一端にタップねじ部を設け他端に連結ねじ部を設けた支持ビットの、上記タップねじ部は土留め壁材にねじ込まれて固定され、上記連結ねじ部は上記土留め壁材を覆う防水シートを貫通し、かつ、この貫通孔の周囲に密着した止水リングを貫通するものであって、
上記支持ビットの連結ねじ部端に接続される調整パイプは、
予め２分割されており、中間部に仕切板を介して接合しており、一端は上記止水リングを貫通して上記支持ビットのねじ部端に接続され、他端には、コンクリート型枠を支持するための部材が接続されることを特徴とするコンクリート型枠の防水支持部材。
【請求項６】
一端にタップねじ部を設け他端に連結ねじ部を設けた支持ビットの、上記タップねじ部は土留め壁材にねじ込まれて固定され、上記連結ねじ部は上記土留め壁材を覆う防水シートを貫通し、かつ、この貫通孔の周囲に密着した止水リングを貫通するものであって、
上記支持ビットの連結ねじ部端に接続される調整パイプは、
一端は上記止水リングを貫通して上記支持ビットのねじ部端に接続され、他端には、フランジ付きねじを介してコンクリート型枠を支持するための部材が接続されることを特徴とするコンクリート型枠の防水支持部材。
【請求項７】
一端にタップねじ部を設け他端に連結ねじ部を設けた支持ビットの、上記タップねじ部は土留め壁材にねじ込まれて固定され、上記連結ねじ部は上記土留め壁材を覆う防水シートを貫通し、かつ、この貫通孔の周囲に密着した止水リングを貫通するものであって、
上記支持ビットの連結ねじ部端に接続される調整パイプは、
予め２分割されており、両端にねじ部を備えるフランジ付きねじにより連結される構造をしており、一端は上記止水リングを貫通して上記支持ビットのねじ部端に接続され、他端には、コンクリート型枠を支持するための部材が接続されることを特徴とするコンクリート型枠の防水支持部材。
【請求項８】
調整パイプは、予め２分割されており、両端にねじ部を備えるフランジ付きねじにより連結される構造をしており、連結部には、フランジ付きねじのフランジを覆うシール材が設けられていることを特徴とする請求項７に記載のコンクリート型枠の防水支持部材。
【請求項９】
調整パイプは、予め２分割されており、両端にねじ部を備えるフランジ付きねじにより連結される構造をしており、フランジ付きねじのフランジは一方の調整パイプに接合されていることを特徴とする請求項７または８に記載のコンクリート型枠の防水支持部材。
【請求項１０】
調整パイプは、予め２分割されており、両端にねじ部を備えるフランジ付きねじにより連結される構造をしており、フランジ付きねじのフランジと一方の調整パイプの間に樹脂環が挟み込まれていることを特徴とする請求項７または８に記載のコンクリート型枠の防水支持部材。
【請求項１１】
調整パイプは、予め２分割されており、両端にねじ部を備えるフランジ付きねじにより連結される構造をしており、調整パイプ内部のフランジ付きねじのねじ部先端に樹脂栓が詰め込まれていることを特徴とする請求項７または８に記載のコンクリート型枠の防水支持部材。
【請求項１２】
上記調整パイプのプレス塊周囲に隆起部が形成され、一方の端部近傍外周面に加圧ワッシャが固定され、他方の端部近傍にナット回し工具を装着するための工具掛け部が設けられていることを特徴とする請求項１に記載の防水支持部材。
【発明の詳細な説明】
【技術分野】
【０００１】
本発明は、土留め壁に沿ってコンクリート壁を形成するとき、土留め壁側からコンクリート壁側に流れ込む水を阻止することができるコンクリート型枠支持部の止水構造に関する。
【背景技術】
【０００２】
土留め壁に沿ってコンクリート壁を形成するときに、土留め壁のＨ鋼に支持ビットを固定して、これに型枠支持金具を連結してコンクリート型枠を支持することが行われる。その場合に、土留め壁とコンクリート壁の間に防水シートを配置する。土留め壁側からコンクリート壁に地下水圧がかかり、コンクリート壁に水漏れが生じるのを防止するためである。このとき、支持ビットが防水シートを貫通する。その貫通部の水漏れを阻止するための止水装置が開発され実用化されている（特許文献１）（特許文献２）。
【先行技術文献】
【特許文献】
【０００３】
【特許文献１】特開２００９−４１３１３号公報
【特許文献２】特開２０１３−６０７８１号公報
【発明の概要】
【発明が解決しようとする課題】
【０００４】
既知の従来の技術には、次のような解決すべき課題があった。
上記の支持ビットは、調整パイプやねじ棒等を介して型枠支持金具と連結される。特許文献１等では、支持ビットにブチルゴムを塗布して調整パイプと連結することで、支持ビットと調整ねじの連結部での水漏れを防いでいる。しかしながら、地下数十メートルの大深度で建設される土留め壁に加わる地下水圧はきわめて高く、より高圧に耐える止水構造が求められている。
上記の課題を解決するために、本発明は、支持ビットと調整パイプとの連結構造を改良したコンクリート型枠支持部の止水構造を提供することを目的とする。
【課題を解決するための手段】
【０００５】
以下の構成はそれぞれ上記の課題を解決するための手段である。
【０００６】
＜構成１＞
一端にタップねじ部を設け他端に連結ねじ部を設けた支持ビットの、上記タップねじ部は土留め壁材にねじ込まれて固定され、上記連結ねじ部は上記土留め壁材を覆う防水シートを貫通し、かつ、この貫通孔の周囲に密着した止水リングを貫通するものであって、
上記支持ビットの連結ねじ部端に接続される調整パイプは、
中間部に両側面をプレスして固定したプレス塊を配置しており、一端は上記止水リングを貫通して上記支持ビットのねじ部端に接続され、他端には、コンクリート型枠を支持するための部材が接続されることを特徴とするコンクリート型枠の防水支持部材。
【０００７】
＜構成２＞
一端にタップねじ部を設け他端に連結ねじ部を設けた支持ビットの、上記タップねじ部は土留め壁材にねじ込まれて固定され、上記連結ねじ部は上記土留め壁材を覆う防水シートを貫通し、かつ、この貫通孔の周囲に密着した止水リングを貫通するものであって、
上記支持ビットの連結ねじ部端に接続される調整パイプは、
両端から切削加工をして残された仕切壁を備え、一端は上記止水リングを貫通して上記支持ビットのねじ部端に接続され、他端には、コンクリート型枠を支持するための部材が接続されることを特徴とするコンクリート型枠の防水支持部材。
【０００８】
＜構成３＞
一端にタップねじ部を設け他端に連結ねじ部を設けた支持ビットの、上記タップねじ部は土留め壁材にねじ込まれて固定され、上記連結ねじ部は上記土留め壁材を覆う防水シートを貫通し、かつ、この貫通孔の周囲に密着した止水リングを貫通するものであって、
上記支持ビットの連結ねじ部端に接続される調整パイプは、
中間部に部分圧縮により固定した仕切塊を配置しており、一端は上記止水リングを貫通して上記支持ビットのねじ部端に接続され、他端には、コンクリート型枠を支持するための部材が接続されることを特徴とするコンクリート型枠の防水支持部材。
【０００９】
＜構成４＞
一端にタップねじ部を設け他端に連結ねじ部を設けた支持ビットの、上記タップねじ部は土留め壁材にねじ込まれて固定され、上記連結ねじ部は上記土留め壁材を覆う防水シートを貫通し、かつ、この貫通孔の周囲に密着した止水リングを貫通するものであって、
上記支持ビットの連結ねじ部端に接続される止水ネジは、
袋ナット部とねじ部とを有し、上記袋ナット部は上記止水リングを貫通して上記支持ビットのねじ部端に接続され、上記ねじ部には、コンクリート型枠を支持するための調整パイプが接続されることを特徴とするコンクリート型枠の防水支持部材。
【００１０】
＜構成５＞
一端にタップねじ部を設け他端に連結ねじ部を設けた支持ビットの、上記タップねじ部は土留め壁材にねじ込まれて固定され、上記連結ねじ部は上記土留め壁材を覆う防水シートを貫通し、かつ、この貫通孔の周囲に密着した止水リングを貫通するものであって、
上記支持ビットの連結ねじ部端に接続される調整パイプは、
予め２分割されており、中間部に仕切板を介して接合しており、一端は上記止水リングを貫通して上記支持ビットのねじ部端に接続され、他端には、コンクリート型枠を支持するための部材が接続されることを特徴とするコンクリート型枠の防水支持部材。
【００１１】
＜構成６＞
一端にタップねじ部を設け他端に連結ねじ部を設けた支持ビットの、上記タップねじ部は土留め壁材にねじ込まれて固定され、上記連結ねじ部は上記土留め壁材を覆う防水シートを貫通し、かつ、この貫通孔の周囲に密着した止水リングを貫通するものであって、
上記支持ビットの連結ねじ部端に接続される調整パイプは、
一端は上記止水リングを貫通して上記支持ビットのねじ部端に接続され、他端には、フランジ付きねじを介してコンクリート型枠を支持するための部材が接続されることを特徴とするコンクリート型枠の防水支持部材。
【００１２】
＜構成７＞
一端にタップねじ部を設け他端に連結ねじ部を設けた支持ビットの、上記タップねじ部は土留め壁材にねじ込まれて固定され、上記連結ねじ部は上記土留め壁材を覆う防水シートを貫通し、かつ、この貫通孔の周囲に密着した止水リングを貫通するものであって、
上記支持ビットの連結ねじ部端に接続される調整パイプは、
予め２分割されており、両端にねじ部を備えるフランジ付きねじにより連結される構造をしており、一端は上記止水リングを貫通して上記支持ビットのねじ部端に接続され、他端には、コンクリート型枠を支持するための部材が接続されることを特徴とするコンクリート型枠の防水支持部材。
【００１３】
＜構成８＞
調整パイプは、予め２分割されており、両端にねじ部を備えるフランジ付きねじにより連結される構造をしており、連結部には、フランジ付きねじのフランジを覆うシール材が設けられていることを特徴とする構成７に記載のコンクリート型枠の防水支持部材。
【００１４】
＜構成９＞
調整パイプは、予め２分割されており、両端にねじ部を備えるフランジ付きねじにより連結される構造をしており、フランジ付きねじのフランジは一方の調整パイプに接合されていることを特徴とする構成７または８に記載のコンクリート型枠の防水支持部材。
【００１５】
＜構成１０＞
調整パイプは、予め２分割されており、両端にねじ部を備えるフランジ付きねじにより連結される構造をしており、フランジ付きねじのフランジと一方の調整パイプの間に樹脂環が挟み込まれていることを特徴とする構成７または８に記載のコンクリート型枠の防水支持部材。
【００１６】
＜構成１１＞
調整パイプは、予め２分割されており、両端にねじ部を備えるフランジ付きねじにより連結される構造をしており、調整パイプ内部のフランジ付きねじのねじ部先端に樹脂栓が詰め込まれていることを特徴とする構成７または８に記載のコンクリート型枠の防水支持部材。
＜構成１２＞
上記調整パイプのプレス塊周囲に隆起部が形成され、一方の端部近傍外周面に加圧ワッシャが固定され、他方の端部近傍にナット回し工具を装着するための工具掛け部が設けられていることを特徴とする構成１に記載の防水支持部材。
【発明の効果】
【００１７】
＜構成１の効果＞
金属片等の両側面をプレスして固定するので、加工が容易で、調整パイプを変形させない。
＜構成２の効果＞
部品点数が少なく、強固な止水用の壁を形成できる。
＜構成３の効果＞
調整パイプに仕切塊を挿入して圧縮固定すれば、簡単に強固な止水壁を形成できる。
＜構成４の効果＞
袋ナット部とねじ部とを有する止水ねじを支持ビットに取り付けて、確実に漏水を防止できる。
＜構成５の効果＞
２分割した調整パイプを仕切板を介して接合したので、任意の位置に止水壁を設け、調整パイプも任意の長さにできる。
＜構成６の効果＞
フランジ付きねじにより止水をするから、調整パイプの内部から外に水が漏れない。
＜構成７の効果＞
フランジ付きねじは、コンクリート型枠を支持するねじ棒として機能させることができる。
＜構成８の効果＞
シール材は、フランジ付きねじのフランジ部分の止水効果を高めることができる。
＜構成９の効果＞
フランジ付きねじを一方の調整パイプに一体化できる。
＜構成１０の効果＞
樹脂環によりフランジの止水効果を高めることができる。
＜構成１１の効果＞
フランジ付きねじの調整パイプへのねじ込み時に、樹脂栓を詰め込んで止水をることができる。
＜構成１２の効果＞
調整パイプの周囲に隆起部が形成され、その後の加工作業の目印になる。
【図面の簡単な説明】
【００１８】
【図１】従来のコンクリート型枠の防水支持部の一部縦断面図で、（ａ）は全体図（ｂ）は主要部縦断面図である。
【図２】（ａ）は調整パイプ２４に仕切壁４０を設けたもの、（ｂ）はその使用状態、（ｃ）はその変形例、（ｄ）は調整パイプ２４の縮径部４２に仕切塊４４を設けたもの、（ｅ）は調整パイプ２４の内部にプレス塊４６を形成したもの、（ｆ）はその使用状態を示し、いずれも調整パイプ２４の縦断面図を示す。
【図３】（ａ）は仕切板４８を設けたもの、（ｂ）はその使用状態、（ｃ）はフランジ付きねじ５０を設けたもの、（ｄ）と（ｅ）はそれぞれその使用状態を示し、いずれも調整パイプ２４の縦断面図である。
【図４】（ａ）〜（ｅ）はフランジ付きねじ５０の止水効果を強化する実施例の縦断面図である。
【図５】袋ナット部６４とねじ部６６とを有する止水ねじ６２を使用した例の縦断面図で、（ａ）はその分解縦断面図、（ｂ）は組み立て後の縦断面図、（ｃ）は加圧ワッシャ３６を取り付けた止水ねじ６２を使用した例の縦断面図、（ｄ）は調整パイプ２４を省略した例を示す縦断面図である。
【図６】図５（ｂ）の例を使用したコンクリート型枠の防水支持部の一部縦断面図である。
【図７】図５（ｄ）の例を使用したコンクリート型枠の防水支持部の一部縦断面図である。
【図８】実施例３の調整パイプ２４の実際の使用状態を示す縦断面図である。
【図９】図８の部分拡大図である。
【発明を実施するための形態】
【００１９】
以下、本発明の実施の形態を実施例毎に詳細に説明する。
図１は従来のコンクリート型枠３４の防水支持部の一部縦断面図である。（ａ）は全体図（ｂ）は主要部縦断面図である。
この図の例は、上記特許文献等に記載されているもので、大深度地下に地下構造物を建設するために、コンクリートの壁を建設するための構造である。土留め壁材１２はコンクリートやモルタル製の仮設の壁であって、Ｈ鋼１４等で支持されている。このＨ鋼１４にタップ孔を設けて支持ビット１６のタップねじ部１８をねじ込む。そして、土留め壁材１２全体を覆うように防水シート２８を取り付ける。
【００２０】
支持ビット１６は、土留め壁材１２と対向させてコンクリート型枠３４を支持固定するために使用される。このため、防水シート２８の一部を破いて支持ビット１６を貫通させる。コンクリート型枠３４は、支持ビット１６と調整パイプ２４とねじ棒３０と型枠支持金具３２とにより支持される。土留め壁材１２とコンクリート型枠３４の間に図示しないコンクリートが流し込まれて、地下構造物を取り囲むコンクリート壁が形成される。
【００２１】
止水リング２６は防水シート２８の貫通孔周辺に密着して、ブチルゴム等によりシールをし、この部分の漏水を防ぐ。図の例では、調整パイプ２４の外周に金属製の加圧ワッシャ３６が固定されている。この加圧ワッシャ３６が止水リング２６を強く防水シート２８に押しつける。調整パイプ２４の端部は上記支持ビット１６の連結ねじ部２２に接続されている。
【００２２】
コンクリート壁の完成後に、防水シート２８は地下水がコンクリート壁側に浸透するのを阻止する重要な役割を果たす。防水シート２８には支持ビット１６によって多数の貫通孔が形成されるが、止水リング２６と防水シート２８とがブチルゴム等を介して広い面積で密着しているから、防水シート２８の貫通孔から調整パイプ２４の外側を伝わって漏水が生じるおそれはない。
【００２３】
しかしながら、Ｈ鋼１４は土留め壁材１２に対して一定の間隔で配列されており、Ｈ鋼１４の間の壁から染み出る地下水が、図１（ｂ）に示す矢印のように、防水シート２８の貫通孔から連結ねじ部２２の周囲を伝わって調整パイプ２４の内部に進入するおそれがある。調整パイプ２４の内部に地下水が進入すると、図の（ａ）に示すねじ棒３０を伝わってコンクリート壁内への漏水が生じる。これを防止するために、上記特許文献等では、連結ねじ部２２の外周面に十分な量のブチルゴムを塗布して、ここをシールしている。
【００２４】
このブチルゴムの塗布量が不十分だと漏水が生じる。工事現場では、土留め壁材１２の壁面に配列された多数のＨ鋼１４に、多数の支持ビット１６を取り付ける作業が要求される。従って、連結ねじ部２２にブチルゴムを塗布しながら止水リング２６を装着して調整パイプ２４を締め付けるという作業に対して、さらなる作業性の改善が求められている。また、地下数十メートルという大深度地下で高い地下水圧に耐える構造が求められている。
【００２５】
そこで、本発明では、このように調整パイプ２４中を伝わってねじ棒３０側に漏水するのを防止するために、調整パイプ２４の部分に止水のための壁構造を設けることにした。以下、本発明の実施例を順に説明する。
【実施例１】
【００２６】
図２の（ａ）は調整パイプ２４に仕切壁４０を設けたもの、（ｂ）はその使用状態、（ｃ）はその変形例、（ｄ）は調整パイプ２４の縮径部４２に仕切塊４４を設けたもの、（ｅ）は調整パイプ２４の内部にプレス塊４６を形成したもの、（ｆ）はその使用状態を示し、いずれも調整パイプ２４縦断面図を示す。なお、各調整パイプにはいずれも、最終工程で内面に雌ねじが形成されるが、図が煩雑になるので、全ての図面で、雌ねじの図示を省略している。
【００２７】
図２（ａ）において、この調整パイプ２４は、鉄棒の両端から切削加工をして残された仕切壁４０を備えている。内面には、支持ビット１６やねじ棒３０（図１）をねじ込むためのねじ切りをしている。この調整パイプ２４は、図２（ｂ）に示すとおり、支持ビット１６の連結ねじ部２２に接続される。なお、調整パイプ２４のねじ穴とほぼ同径のドリルで切削をして仕切壁４０を形成すると、図２（ｃ）のような断面形状になる。支持ビット１６側の連結ねじ部２２の外周面を伝わる地下水は、仕切壁４０で確実に遮断できる。この構造は調整パイプ２４が堅牢で部品点数が少ないという利点がある。
【実施例２】
【００２８】
図２（ｄ）の調整パイプ２４は、中間部に部分圧縮により固定した仕切塊４４を配置している。仕切塊４４は金属塊や硬質プラスチック塊、ゴム塊である。仕切塊４４を位置決めして、調整パイプ２４をプレス圧縮する。これにより、仕切塊４４を確実に固定できる。実施例１のものよりも製造が簡単で製造コストが安くなる。しかも、簡単に強固な止水壁を形成できる。
【実施例３】
【００２９】
図２（ｅ）は、調整パイプ２４の中間部に両側面をプレスして固定したプレス塊４６を配置している。例えば、調整パイプ２４の材質に比較して同等かあるいはより柔軟な金属塊を調整パイプ２４の内部に配置する。調整パイプ２４の両側の開口からプレス棒で加圧すると、金属塊が変形して、調整パイプ２４内部に壁を形成する。こうしてプレス塊４６が得られる。この実施例は加工が容易でかつ堅牢である。また、全体としてコストが安くなるという特徴がある。なお、プレスにより図２（ｆ）に示すように調整パイプ２４の外面に隆起部２５が形成される場合がある。この調整パイプ２４を支持ビット１６に連結するときには、図の工具掛け部６８の部分に電動のナット回し等の工具を装着する。工具掛け部６８の部分は図の右側に示すような六角に圧縮整型する。さらに、反対側に加圧ワッシャ３６を取り付ける。そのとき、隆起部２５を目印にすると圧縮成型する側や加圧ワッシャ３６の取り付け位置を間違えないという効果もある。
【実施例４】
【００３０】
図３において、（ａ）は仕切板４８を設けたもの、（ｂ）はその使用状態、（ｃ）はフランジ付きねじ５０を設けたもの、（ｄ）と（ｅ）はそれぞれその使用状態を示し、いずれも調整パイプ２４の縦断面図である。
【００３１】
図３（ａ）では、調整パイプ２４は予め２分割されている。その中間部には、仕切板４８を配置している。これらを図３（ｂ）に示すように直線的に接合する。溶接等で接合するとよい。調整パイプ２４−１は支持ビット１６の連結ねじ部２２に接続され、調整パイプ２４−２はコンクリート型枠３４（図１）を支持するためのねじ棒３０（図１）に接続される。この実施例では、調整パイプ２４−２を必要に応じて任意の長さに選定できる。さらに、任意の位置に止水壁を配置できるという効果もある。
【実施例５】
【００３２】
図３（ｃ）は、フランジ付きねじ５０を使用した例を示す。フランジ付きねじ５０の両端は、いずれも、調整パイプ２４にねじ込んで連結することができる雄ねじ部を備えている。フランジの外径は少なくとも調整パイプ２４−１や調整パイプ２４−２の内径よりも大きい。図３（ｄ）に示すように、調整パイプ２４−１は支持ビット１６の連結ねじ部２２に接続され、調整パイプ２４−２はコンクリート型枠３４（図１）を支持するためのねじ棒３０（図１）に接続される。
【００３３】
なお、図３（ｅ）に示すように、フランジ付きねじ５０の雄ねじ部５１十分に長ければ、フランジ付きねじ５０を型枠支持金具３２（図１）に直接接続することもできる。フランジ付きねじ５０のフランジと調整パイプ２４−１の端面とが隙間なく密着する構造であれば、ここで完全に止水できる。しかしながら、より確実な止水効果を得るために以下の構造を採用するとよい。
【００３４】
図４（ａ）〜（ｅ）はフランジ付きねじ５０の止水効果を強化する実施例の縦断面図である。
図４（ａ）の調整パイプ２４−１と調整パイプ２４−２は、フランジ付きねじ５０を介して連結されている。そして、その連結部には、フランジ付きねじ５０のフランジを覆うようにシール材５２が設けられている。これにより、フランジとその両側の調整パイプの接合部の止水性を強化できる。シール材５２には、ブチルゴムやその他の接着剤等を使用することができる。
【００３５】
図４（ｂ）の例では、調整パイプ２４−１とフランジ付きねじ５０のフランジとが、溶接材５４により接合されている。溶接でなくて接着剤でも構わない。これにより、支持ビット１６の連結ねじ部２２を完全に防水壁で包囲できる。
【００３６】
図４（ｃ）の例では、調整パイプ２４−１とフランジ付きねじ５０の雄ねじ部５１とが、接着剤５６により接着されている。この接着剤５６により確実に止水効果を発揮させることができる。
【００３７】
図４（ｄ）の例では、フランジ付きねじ５０のフランジと一方の調整パイプ２４−１の間に、樹脂環５８が挟み込まれている。樹脂環５８はゴムやプラスチックのオーリングやワッシャー等が好ましい。樹脂環５８は既存の部品を使って実現できる。
【００３８】
図４（ｅ）の例は、調整パイプ２４−１にねじ込んだフランジ付きねじ５０の雄ねじ部先端に、樹脂栓６０を詰め込んだものである。フランジ付きねじ５０の取り付け時に同時に樹脂栓６０を挿入するとよい。支持ビット１６のねじ部側から水圧がかかると、樹脂栓６０をフランジ付きねじ５０に押しつけるから、より止水性が高まる。
【実施例６】
【００３９】
図５は袋ナット部６４とねじ部６６とを有する止水ねじ６２を使用した例の縦断面図で、（ａ）はその分解縦断面図、（ｂ）は組み立て後の縦断面図、（ｃ）は加圧ワッシャ３６を取り付けた止水ねじ６２を使用した例の縦断面図、（ｄ）は調整パイプ２４を省略した例を示す縦断面図である。また、図６と図７とは、この実施例の部材でコンクリート型枠３４を支持した状態を示す縦断面図である。
【００４０】
図５（ａ）に示すように、止水ねじ６２は支持ビット１６の連結ねじ部２２端に接続される。袋ナット部６４は、図１（ｂ）に示した調整パイプ２４と同様に、止水リング２６（図１）を貫通するように配置され、支持ビット１６の連結ねじ部２２に接続される。ねじ部６６には、コンクリート型枠３４を支持するための調整パイプ２４が接続される。これらを連結した後の状態は図５（ｂ）と図６に示すとおりである。
【００４１】
なお、図５（ｃ）には、止水ねじ６２に図１で説明した加圧ワッシャ３６を取り付けたものの縦断面図を示した。この加圧ワッシャ３６で、図１（ｂ）に示したように、止水リング２６を防水シート２８に押しつける。図６のように組み立てると、袋ナット部６４により、支持ビット１６の連結ねじ部２２を伝わって流入する水を遮断できる。
【００４２】
なお、図５（ｄ）と図７に示すように、ねじ部６６が十分に長いと、調整パイプ２４を使用せずに、型枠支持金具３２と連結することもできる。
【００４３】
図８は実施例３の調整パイプ２４の実際の使用状態を示す縦断面図、図９はその部分拡大図である。
図８において、調整パイプ２４は一端を支持ビット１６に連結し、他端をねじ棒３０に連結している。この状態は既知の調整パイプと変わらない。ここで、図９に示すように、この調整パイプ２４では、プレス塊４６により、ねじ孔を塞ぐ強固な壁が形成されている。調整パイプ２４に固定された加圧ワッシャ３６は、止水リング２６を防水シート２８に押しつけている。
【００４４】
従来は、支持ビット１６の連結ねじ部２２の周囲に、例えば、ブチルゴムを塗布する。これにより連結ねじ部２２のねじ溝を伝わって調整パイプ２４側に浸透する水を防いでいる。しかし、この実施例では、プレス塊４６により完全にその走水を遮断することができる。この調整パイプ２４は従来品と寸法が同じで取扱も従来と変わらない、従って、従来どおりの工法でそのまま採用することができるという効果もある。
実際に、水圧テストポンプと試験資料を接続して、下記の水圧で下記の時間をかけ続け、漏水の有無を確認した。資料は、鋼鉄製の内径１０ｍｍの調整パイプで、その内部に、軟鉄の塊を挿入して、両側から加圧して、図２（ｆ）に示すようなプレス塊４６による遮水壁を形成したものである。その結果、複数のサンプルでいずれも水漏れが全く無いことが確認できた。部分圧縮をして遮水壁を形成したものについても同様の結果を得た。これらは、他の実施例に比較して、特に高い水圧に耐え、かつ、製造コストを低く抑えられるものということができる。
（１）0.5Mpaまで水圧をあげ、24時間置いて漏水の有無を確認する。
（２）1.0Mpaまで水圧をあげ、24時間置いて漏水の有無を確認する。
（３）1.5Mpaまで水圧をあげ、10分間置いて漏水の有無を確認する。
【符号の説明】
【００４５】
１２  土留め壁材
１４  Ｈ鋼
１６  支持ビット
１８  タップねじ部
２０  工具掛け部
２２  連結ねじ部
２４  調整パイプ
２５  隆起部
２６  止水リング
２８  防水シート
３０  ねじ棒
３２  型枠支持金具
３４  コンクリート型枠
３６  加圧ワッシャ
４０  仕切壁
４２  縮径部
４４  仕切塊
４６  プレス塊
４８  仕切板
５０  フランジ付きねじ
５１  雄ねじ部
５２  シール材
５４  溶接材
５６  接着剤
５８  樹脂環
６０  樹脂栓
６２  止水ねじ
６４  袋ナット部
６６  ねじ部
６８  工具掛け部
【図１】
2015175191.tif 000003
【図２】
2015175191.tif 000004
【図３】
2015175191.tif 000005
【図４】
2015175191.tif 000006
【図５】
2015175191.tif 000007
【図６】
2015175191.tif 000008
【図７】
2015175191.tif 000009
【図８】
2015175191.tif 000010
【図９】
2015175191.tif 000011